(57)【要約】【課題】  小束紙幣を簡素な構造で搬送することができる小束紙幣処理機の提供。【解決手段】  小束紙幣Ｗを小束搬送部で搬送して小束出金口５１から機外へ出金させるものであって、小束出金口５１には、小束出金口５１を開閉させるシャッタ８０が設けられており、シャッタ８０は、小束出金口５１から繰り出された小束紙幣Ｗを、開作動に連動して前方に押し出す。【選択図】        図５
2006293907.tif 000002
【特許請求の範囲】
【請求項１】
小束紙幣を小束搬送部で搬送して小束出金口から機外へ出金させる小束紙幣処理機であって、
前記小束出金口には、該小束出金口を開閉させるシャッタが設けられており、
該シャッタは、前記小束出金口から繰り出された小束紙幣を、開作動に連動して前方に押し出すことを特徴とする小束紙幣処理機。
【請求項２】
前記シャッタは、前記小束出金口を閉塞可能であって閉塞状態における上部の回動軸において回動可能かつ昇降可能に支持されるシャッタ本体と、前記回動軸の下降に連動して前記シャッタ本体の下部を前方に移動させて、該シャッタ本体の下部により小束紙幣を前方に押し出させる作動アームとを有することを特徴とする請求項１記載の小束紙幣処理機。
【請求項３】
前記シャッタは、開状態で前記小束搬送部から繰り出された小束紙幣を載置させる前下がりの傾斜面を有することを特徴とする請求項２記載の小束紙幣処理機。
【発明の詳細な説明】
【技術分野】
【０００１】
本発明は、小束紙幣を取り扱う小束紙幣処理機に関する。
【背景技術】
【０００２】
バラ紙幣を結束する紙幣結束機に関する技術として、機体下部右側に、入金口に入金されたバラ紙幣を搬送しつつ識別し、識別結果に基づいて金種別に一時貯留させるとともに、入金が確定するとバラ紙幣を金種別に収納させるバラ紙幣処理部が設けられ、機体上部に、バラ紙幣処理部から繰り出されたバラ紙幣を所定枚数ずつ集積させて結束テープを巻き回して小束紙幣とする結束処理部が設けられ、さらに、機体下部左側に小束紙幣を出金可能に金種別の束収納部に収納させる束紙幣処理部が設けられたものがある（例えば特許文献１参照）。この紙幣結束機は、金融機関において窓口から離れた別室に置かれ、いわゆる出納機として用いられるものであり、その大きさに比較的制限が少ないものである。
【０００３】
これに対して、窓口に置かれるテラー機は、テラーカウンタの下側に配置されるものであることから、小型化が必要であり、特に高さ方向の大きさに制限がある。このような理由から、テラー機は、機能を絞る必要があり、紙幣については通常バラ紙幣のみを取り扱うようになっている。しかしながら、テラー機においても小束紙幣を出金させる要望があり、別途結束された小束紙幣を収納し出金させる装置が開示されている（例えば特許文献２参照）。
【特許文献１】特開２０００−１７７９３５号公報
【特許文献２】特開平１−９４４９４号公報
【発明の開示】
【発明が解決しようとする課題】
【０００４】
しかしながら、さらに要望は深まり、テラー機においてもバラ紙幣を結束させる機能を組み込む要望が生じてきている。このような要望に応えるためには、結束部で結束された小束紙幣を簡素な構造でテラー側に搬送する必要があった。勿論、このような要望はテラー機に限らずとも生じる可能性がある。
【０００５】
したがって、本発明は、小束紙幣を簡素な構造で搬送することができる小束紙幣処理機の提供を目的とする。
【課題を解決するための手段】
【０００６】
上記目的を達成するために、請求項１に係る発明は、小束紙幣を小束搬送部で搬送して小束出金口から機外へ出金させる小束紙幣処理機であって、前記小束出金口には、該小束出金口を開閉させるシャッタが設けられており、該シャッタは、前記小束出金口から繰り出された小束紙幣を、開作動に連動して前方に押し出すことを特徴とする小束紙幣処理機。
【０００７】
請求項２に係る発明は、請求項１に係る発明において、前記シャッタは、前記小束出金口を閉塞可能であって閉塞状態における上部の回動軸において回動可能かつ昇降可能に支持されるシャッタ本体と、前記回動軸の下降に連動して前記シャッタ本体の下部を前方に移動させて、該シャッタ本体の下部により小束紙幣を前方に押し出させる作動アームとを有することを特徴としている。
【０００８】
請求項３に係る発明は、請求項２に係る発明において、前記シャッタは、開状態で前記小束搬送部から繰り出された小束紙幣を載置させる前下がりの傾斜面を有することを特徴としている。
【発明の効果】
【０００９】
請求項１に係る発明によれば、小束出金口から繰り出された小束紙幣を、シャッタがその開作動に連動して前方に押し出すため、小束紙幣の小束出金口からの繰り出しの後に、再びシャッタを開くことで、小束紙幣を前方に搬送することができる。このように、小束出金口を開閉させるシャッタで小束紙幣を搬送できるため、簡素な構造で小束紙幣を搬送することができる。
【００１０】
請求項２に係る発明によれば、シャッタの開作動時に、シャッタ本体の上部の回動軸を下降させると、シャッタ本体に回動可能に連結された作動アームが、これに連動してシャッタ本体の下部を前方に移動させる。このシャッタ本体の下部の前方移動で、小束紙幣を前方に搬送することができる。このように、シャッタ本体と作動アームという確実に簡素な構造で小束紙幣を搬送することができる。
【００１１】
請求項３に係る発明によれば、シャッタを開状態として、小束搬送部で小束紙幣を繰り出させると、小束紙幣がシャッタの前下がりの傾斜面に載置されて、前方に滑り落ち搬送される。よって、さらに簡素な構造で小束紙幣を搬送することができる。
【発明を実施するための最良の形態】
【００１２】
本発明の一実施形態に係る貨幣入出金機（小束紙幣処理機）を図面を参照して以下に説明する。
【００１３】
本実施形態の貨幣入出金機１１は、図１に示すように、その機体１２が略直方体形状をなしており、入金されたバラ紙幣を収納し、収納したバラ紙幣を必要に応じて出金させるバラ紙幣処理部１３が下部に設けられる一方、その上側に、必要によりバラ紙幣を所定枚数（１００枚）で結束して小束紙幣として出金させる束紙幣処理部１４が設けられている。なお、図示は略すが、入金されたバラ硬貨を収納し、収納したバラ硬貨を必要に応じて出金させるバラ硬貨処理部も設けられている。この貨幣入出金機１１は、金融機関においてテラーカウンタの下側に配置されるテラー機である。
【００１４】
バラ紙幣処理部１３には、その機体１２の前面１２Ｆ側の上部に、バラ紙幣が長手方向を機体左右方向に沿わせた姿勢で積層状態で投入される入金口２１が設けられており、この入金口２１のさらに上側に機体１２内からバラ紙幣が繰り出されるバラ出金口２２が設けられ、入金口２１の下側に機体１２内からリジェクト紙幣が繰り出されるリジェクト口２３が設けられている。
【００１５】
また、バラ紙幣処理部１３には、入金口２１から一枚ずつ分離されて機体１２内に取り込まれたバラ紙幣の金種、真偽、正損、表裏方向および搬送異常の有無の識別と計数とを行う入金識別部２５が設けられており、その下流側に入金識別部２５の識別結果に基づいてバラ紙幣の表裏を取り揃える表裏取揃部２６が設けられている。
【００１６】
さらに、バラ紙幣処理部１３には、入金識別部２５で受入可能と識別され、表裏取揃部２６で表裏が取り揃えられたバラ紙幣を入金識別部２５の鑑別結果に基づいて分類し、集積状態で一時貯留させる一時貯留部３０〜３４が設けられており、各一時貯留部３０〜３４の下方に、上方の一時貯留部３０からバラ紙幣を受け入れて収納する収納部３７および一時貯留部３１〜３４のうち上方のものからバラ紙幣を受け入れて収納するとともに収納した紙幣を最下のものから一枚ずつ出金可能な収納部３８〜４１が一対一で設けられている。なお、入金識別部２５で受入可能と識別された紙幣を一時貯留部３０〜３４に貯留させずにそのまま束紙幣処理部１４に搬送して結束させることも可能となっている。
【００１７】
加えて、バラ紙幣処理部１３には、上記した収納部３８〜４１から出金されたバラ紙幣の金種、真偽、正損および搬送異常の有無の識別と計数とを行う出金判別部４４と、出金判別部４４の判別結果に基づき出金リジェクト紙幣を収納する出金リジェクトボックス４５とが設けられている。ここで、バラ紙幣処理部１３から出金され、出金判別部４４で判別されたバラ紙幣は、バラ出金口２２、出金リジェクトボックス４５および束紙幣処理部１４に選択的に搬送可能とされている。
【００１８】
束紙幣処理部１４には、バラ紙幣処理部１３から搬送されてきた紙幣を上下方向に集積させる集積部４８と、その前側にあって、集積された紙幣を受け取って結束テープを巻き回す、つまり結束テープで結束する結束処理を行って小束紙幣Ｗとする結束部４９と、結束部４９で結束された小束紙幣Ｗを、前進する押圧板５３によって、略水平に延在する搬送面５４上で滑らせながら機体前方に略水平に押し出す受渡機構部５２と、受渡機構部５２で受け渡された小束紙幣Ｗを搬送する小束搬送部５０とを有している。この小束搬送部５０は、束紙幣処理部１４における機体１２の前面１２Ｆ側に設けられた小束出金口５１に、その後方の結束部４９から受渡機構部５２を介して受け取った小束紙幣Ｗを搬送する。
【００１９】
上記のような構成のバラ紙幣処理部１３および束紙幣処理部１４においては、入金口２１に投入されたバラ紙幣を機体１２内に収納するバラ紙幣収納処理時および入金口２１に投入されたバラ紙幣のうち指定金種の紙幣を結束して小束紙幣Ｗとするローカル整理処理時において、入金口２１に投入され機体１２内に取り込まれたバラ紙幣は、まず入金識別部２５で識別されることになる。そして、入金識別部２５で真紙幣かつ正紙幣かつ正常搬送の紙幣と識別された紙幣以外のバラ紙幣がリジェクト口２３に返却される。
【００２０】
入金識別部２５で真紙幣かつ正紙幣かつ正常搬送の紙幣と識別されたバラ紙幣は、適宜表裏取揃部２６で表裏が取り揃えられた後、バラ紙幣収納処理時においては、一時貯留部３１〜３４の対応する金種のものに送り込まれることになり、一時貯留部３１〜３４で一時貯留された後、入金識別部２５による識別結果の図示略の表示部への表示に基づいて入金確定操作が図示略の操作部に入力されると、金種別に分けられた状態で収納部３８〜４１に収納される。他方、入金識別部２５で真紙幣かつ正紙幣かつ正常搬送の紙幣と識別されたバラ紙幣は、ローカル整理処理時には、適宜表裏取揃部２６で表裏が取り揃えられた後、束紙幣処理部１４の集積部４８に送られることになる。ここで、集積部４８では、送り込まれた紙幣を位置を合わせて所定枚数上下方向に集積させる。
【００２１】
収納部３８〜４１に収納されたバラ紙幣を出金させるバラ紙幣出金処理時、収納部３８〜４１に収納されたバラ紙幣を結束して小束紙幣Ｗとする結束処理時、収納部３８〜４１に収納されたバラ紙幣の収納量を確定する精査処理時および収納部３８〜４１のうちの所定のものに収納された混合金種の紙幣を他のものに装填する装填処理時には、収納部３８〜４１の少なくとも一つから紙幣を繰り出すことになり、繰り出された紙幣は、まず出金判別部４４で判別されることになる。そして、出金判別部４４で真紙幣かつ正紙幣かつ正常搬送の出金可能紙幣と判別されたバラ紙幣は、バラ紙幣出金処理時には、バラ紙幣出金口２２に繰り出されることになり、結束処理時には、集積部４８に送られて所定枚数ずつ位置を合わせて集積される。また、精査処理時および装填処理時には、一時貯留部３０〜３４のうちの対応するものに搬送される。他方、いずれの場合も、出金判別部４４で真紙幣かつ正紙幣かつ正常搬送の紙幣と識別された紙幣以外のバラ紙幣は出金リジェクトボックス４５に収納される。
【００２２】
そして、本実施形態においては、小束搬送部５０が、図３（ａ）に示すように、小束出金口５１の直前位置にあって、これと結束部４０（図１参照）とを受渡機構部５２を介して結ぶように配設された搬送ベルトコンベア５５と、搬送ベルトコンベア５５の上側にこれと平行に設けられてこれと同期して回転する押付羽根車５６とを有している。
【００２３】
搬送ベルトコンベア５５は、受渡機構部５２の側に機体左右方向に沿って水平に配設されたローラ５８と、小束出金口５１の側であってローラ５８よりも所定量高い位置に機体左右方向に沿って水平に配設されたローラ５９と、これらローラ５８，５９に掛けられた無端の搬送ベルト６１とを有している。ここで、ローラ５８，５９のうちのいずれか一方が図示略のモータで回転駆動されることで搬送ベルト６１および他のローラが回転する。
【００２４】
上記のようにローラ５８，５９が配設されていることで、搬送ベルトコンベア５５は結束部４０側よりも小束出金口５１側が若干高くなるように傾斜している。この搬送ベルトコンベア５５の搬送ベルト６１は、一定幅に形成された無端のベルト本体部６３と、このベルト本体部６３の外周側から所定の等間隔をあけて外側に立ち上がる複数具体的には２つの区分部６４とを有している。
【００２５】
ベルト本体部６３においてローラ５８，５９に掛けられた状態で、搬送ベルトコンベア５５には、その上部側にローラ５８，５９を結ぶように略直線状をなす上部搬送領域６６が形成されることになる。
【００２６】
両区分部６４は、上部搬送領域６６にあるとき、その移動方向に対し直交し幅方向に延在する立壁状をなすようにベルト本体部６３に形成されている。これら区分部６４同士の間隔は、小束紙幣Ｗの搬送方向長さ（つまり短辺方向長さ）の最大値よりも長い間隔であって最小値の２倍よりも短い間隔をなしており、その結果、結束部４９で結束された小束紙幣Ｗは、上部搬送領域６６において隣り合う区分部６４間のベルト本体部６３の上面で形成される載置面６７に１束ずつ分離された状態で載置される。なお、区分部６４は小束紙幣Ｗの厚みよりも低い高さであってしかも適度な剛性を有しており、小束紙幣Ｗの搬送方向の後面に当接しても撓まずにこれを小束出金口５１側に押し出すことが可能となっている。
【００２７】
搬送ベルトコンベア５５の上側に設けられた押付羽根車５６は、搬送ベルトコンベア５５の搬送ベルト６１に小束紙幣Ｗを押し付けるためのもので、機体左右方向に沿って水平に配設された円筒状のボス部７５と、このボス部７５の外周側から所定の等間隔をあけて半径方向外側に放射状に立ち上がる複数具体的には８つの押付羽根７６とを有している。この押付羽根車５６は下端部に位置するときに搬送ベルトコンベア５５の上部搬送領域６６の移動速度と同じ速度で移動するように駆動される。
【００２８】
すべての押付羽根７６の突出量は、ボス部７５と搬送ベルト６１の上部搬送領域６６にあるベルト本体部６３との隙間の距離と略同じ長さとされている。なお、押付羽根７６は、区分部６４に比して剛性が低く、上部搬送領域６６の載置面６７に小束紙幣Ｗがある場合にはこれに当接することでその厚みによって撓み、その弾性力でこれを載置面６７に押し付ける。
【００２９】
そして、小束出金口５１には、これを開閉させるシャッタ８０が設けられている。このシャッタ８０は、図２に示すように、小束出金口５１の左右の機体１２側に下側ほど前側に位置するように若干傾斜して上下方向に延在するように配設された直線状のガイド溝８１と、機体左右方向に延在するとともに両端部が両ガイド溝８１に沿ってスライド可能つまり昇降可能に設けられた回動軸８２と、小束出金口５１を閉塞可能であって閉塞状態における上部に上記した回動軸８２が連結され、この回動軸８２を中心に回動可能に設けられた板材からなるシャッタ本体８４と、回動軸８２を昇降駆動する図示略の昇降駆動機構とを有している。
【００３０】
シャッタ本体８４は、図２（ａ）に示すように、回動軸８２が上限位置にあるとき全体的に機体前後方向に直交して小束出金口５１を閉塞させることになり、この状態において、回動軸８２から前下がりに延出する板部８５と、この板部８５の回動軸８２とは反対側から鉛直下方に延出する中間板部８６と、中間板部８６の板部８５とは反対側から後方に折れ曲がる先端板部８７とを有しており、中間板部８６の面積が最も広くなっている。
【００３１】
また、シャッタ８０は、小束出金口５１より若干下方の左右の機体１２側であって、前記したガイド溝８１の下端近傍の軸８８を中心としたＲ形状となる、下側ほど前側に位置するように傾斜する湾曲形状をなして形成されたガイド溝８９と、回動軸８２・軸８８と平行をなしてガイド溝８９に沿ってスライド可能に設けられた連結軸９０と、シャッタ本体８４の中間板部８６の左右に回動軸８２と平行かつ互いに同軸に設けられた連結軸９１と、左右方向における位置が合う連結軸９０，９１同士を連結させる、軸８８に揺動自在に支持された左右の作動アーム９２とを有している。図示略の昇降駆動機構で回動軸８２を下降させると、これと連動してガイド溝８９で連結軸９０が案内されながら軸８８を中心として回動する作動アーム９２で押されてシャッタ本体８４の下部の先端板部８７が略水平に前方に移動することになり、小束出金口５１のシャッタ本体８４よりも上側部分が開放される。ガイド溝８９、連結軸９０，９１および作動アーム９２は、回動軸８２の下降に連動してシャッタ本体８４の下部を前方に移動させる作動機構９４を構成している。
【００３２】
ここで、図２（ｂ）に示すように、図示略の昇降駆動機構で回動軸８２を下限位置まで下降させた状態では、シャッタ本体８４が小束出金口５１の下縁部を構成することになる。この状態で、シャッタ本体８４は、その板部８５が若干前上がりに傾斜して、図３（ｂ）に示すように、搬送ベルトコンベア５５の上部搬送領域６６にあるベルト本体部６３の延長上に配置されることになり、また最も広い中間板部８６が板部８５の前端縁部から前下がりに傾斜することになる。つまり、中間板部８６の上面がシャッタ８０の前下がりの傾斜面８６ａとなる。さらに、この状態で、先端板部８７が中間板部８６の前端縁部から下方に延出する状態となる。
【００３３】
小束出金口５１の前方には、略水平に配置される案内面部９５が形成されており、この案内面部９５の中間位置よりも前側には、機体１２に対し着脱可能な小束受け９６が取り付けられている。この小束受け９６は、案内面部９５の前端縁部から前下がりに延出する傾斜案内面部９７と、傾斜案内面部９７の前側において下方に凹状をなし小束紙幣Ｗを上下方向に複数集積可能な受部９８とを有している。ここで、小束受け９６の受部９８とは反対側には案内面部９５よりも上側に突出するコロ１０１が左右方向に沿ってその中心軸回りに回動自在に支持されている。なお、上記したシャッタ本体８４は、案内面部９５の上側において揺動することになり、回動軸８２が下限位置にあるときに最も下側となる先端板部８７の下端縁部が案内面部９５の直上に位置するとともに、コロ１０１よりも後側に位置する。
【００３４】
以上のような構成の本実施形態の貨幣入出金機１１では、収納部３８〜４１に収納されたバラ紙幣のうち指定金種のバラ紙幣を結束して小束紙幣Ｗとする結束処理時と、入金口２１に投入されたバラ紙幣のうち指定金種のバラ紙幣を結束して小束紙幣Ｗとするローカル整理処理時とにおいて、図示せぬ制御部が、バラ紙幣処理部１３から束紙幣処理部１４に送られた紙幣を集積部４８で所定枚数集積させた後、結束部４９で結束させて小束紙幣Ｗとする。このようにして結束部４９で結束された小束紙幣Ｗを受渡機構部５２から小束搬送部５０を介して小束出金口５１から繰り出させることになるが、以下において、複数束の小束紙幣Ｗを繰り出す場合について説明する。
【００３５】
結束部４９で結束された１束目の小束紙幣Ｗが、長手方向を機体左右方向に沿わせた水平姿勢で結束部４９から受渡機構部５２の押圧板５３で押されて、小束搬送部５０に送り出されることになるが、制御部は、受渡機構部５２から小束搬送部５０へ小束紙幣Ｗを受け渡し可能なタイミングになると、上部搬送領域６６を小束出金口５１側に移動させるように搬送ベルトコンベア５５を駆動するとともに、これと同期して押付羽根車５６を下部側の押付羽根７６を小束出金口５１側に移動させるように駆動し、搬送ベルトコンベア５５に受渡機構部５２の押圧板５３で１束目の小束紙幣Ｗを送り出させる。このとき、制御部は、搬送ベルトコンベア５５の搬送ベルト６１の搬送速度と各区分部６４の上部搬送領域６６へ位置するタイミングとから受渡機構部５２を制御して、所定の区分部６４に対しその後側に近接させるようにして小束紙幣Ｗの前部を搬送ベルト６１の載置面６７に載置させ、さらに押圧板５３で押圧しつつ載置面６７の移動で１束目の小束紙幣Ｗを載置面６７とともに小束出金口５１側に移動させる。また、このとき、上側の押付羽根車５６の複数の押付羽根７６が上側から１束目の小束紙幣Ｗに接触して弾性変形し、これらの押付羽根７６の弾性力で１束目の小束紙幣Ｗが載置面６７に押し付けられる。
【００３６】
そして、図３（ｂ）に示すように受渡機構部５２の押圧板５３が最も小束出金口５１側に位置するタイミングで、制御部は、図示略の昇降駆動機構によって、図２（ｂ）に示すようにシャッタ８０の回動軸８２を下限位置まで下降させる。すると、シャッタ本体８４の上端部が下降するとともに作動機構９４によってシャッタ本体８４の下端部が前方に移動し、図３（ｂ）に示すように、その板部８５が若干前上がりに傾斜して搬送ベルトコンベア５５の上部搬送領域６６にあるベルト本体部６３の延長上に配置されることになり、また最も広い中間板部８６が前下がりに傾斜することになる。
【００３７】
一方、図４（ａ）に示すように、駆動状態が維持されている搬送ベルトコンベア５５の搬送ベルト６１の後側の区分部６４で押される１束目の小束紙幣Ｗは、シャッタ本体８４の板部８５で案内されて、板部８５に沿う姿勢で板部８５よりも前方に一部突出する状態となり、その後、図４（ｂ）に示すように、その重心位置が板部８５よりも中間板部８６側に至ると、シャッタ本体８４の前下がりの中間板部８６の傾斜面８６ａ上に載置される状態となって、傾斜面８６ａの傾斜によって前端が案内面部９５に当接しコロ１０１で停止させられるまで滑り落ちる。
【００３８】
このように１束目の小束紙幣Ｗの前端が案内面部９５に当接しコロ１０１で停止させられるタイミングで、制御部は、図示略の昇降駆動機構によって、図２（ａ）に示すようにシャッタの回動軸８２を上限位置まで上昇させる。すると、シャッタ本体８４の後端部が上降するとともに作動機構９４によってシャッタ本体８４の前端部が後方に移動し、最も広い中間板部８６が鉛直に沿うことになる。これにより、中間板部８６に載置されていた１束目の小束紙幣Ｗは、図５（ａ）に示すように、全体が案内面部９５上に載置されることになる。
【００３９】
なお、上記において、図４（ａ）に示すように、小束紙幣Ｗがシャッタ本体８４の板部８５に沿う前上がりの姿勢で板部８５よりも前方に一部突出する状態で、搬送ベルトコンベア５５および押付羽根車５６を停止させて、小束紙幣Ｗの操作者による取り出しを待つようにし、また、取り出されると、次の小束紙幣Ｗを同様に突出させるという動作を繰り返すようにしても良い。
【００４０】
次に、制御部は、結束部４９で結束された２束目の小束紙幣Ｗを、上記と同様にして、搬送ベルトコンベア５５に受渡機構部５２の押圧板５３で送り出させる。
【００４１】
そして、受渡機構部５２の押圧板５３による２束目の小束紙幣Ｗの最も小束出金口５１側までの搬送を行ったタイミングで、制御部は、図２（ｂ）に示すようにシャッタ８０の回動軸８２を下限位置まで下降させる。すると、シャッタ本体８４の上端部が下降するとともに作動機構９４によってシャッタ本体８４の下端部が前方に略水平に移動する。このとき、図５（ｂ）に示すように、シャッタ本体８４の中間板部８６と先端板部８７との境界縁部が、既に繰り出され案内面部９５に載置されていた１束目の小束紙幣Ｗの後面に当接し、これを前方に押し出す。すると、この１束目の小束紙幣Ｗは、コロ１０１に乗り上げて案内面部８５をさらに前方に円滑に移動し、前端側が案内面部９５に載置され、中央より後側がコロ１０１に載置された状態で停止する。
【００４２】
再び開状態とされたシャッタ本体８４は、上記と同様に、その板部８５が若干前上がりに傾斜して搬送ベルトコンベア５５の上部搬送領域６６にあるベルト本体部６３の延長上に配置されることになり、また中間板部８６の傾斜面８６ａが板部８５の前端縁部から前下がりに傾斜することになり、この状態のシャッタ本体８４の板部８５に、搬送ベルトコンベア５５から２束目の小束紙幣Ｗが繰り出される。すると、小束紙幣Ｗは、シャッタ本体８４の板部８５で案内されて板部８５に沿う姿勢で板部８５よりも前方に一部突出する状態となった後、図６（ａ）に示すように、シャッタ本体８４の前下がりの中間板部８６の傾斜面８６ａ上に載置される状態となって、傾斜面８６ａの傾斜によって前端が、シャッタ本体８４の中間板部８６の下端部よりも上側に突出する１束目の小束紙幣Ｗの後面に当接し停止させられるまで滑り落ちる。
【００４３】
２束目の小束紙幣Ｗの前端が１束目の小束紙幣Ｗの後面に当接し停止させられるタイミングで、制御部は、図２（ａ）に示すようにシャッタ８０の回動軸８２を上限位置まで上昇させる。すると、シャッタ本体８４の後端部が上降するとともに作動機構９４によってシャッタ本体８４の前端部が後方に移動し、最も広い中間板部８６が鉛直に沿うことになる。これにより、中間板部８６に載置されていた２束目の小束紙幣Ｗは、図６（ｂ）に示すように、１束目の小束紙幣Ｗを前方に押しながらその後側において全体が案内面部９５上に載置されることになる。
【００４４】
次に、制御部は、結束部４９で結束された３束目の小束紙幣Ｗを、上記と同様にして、搬送ベルトコンベア５５に受渡機構部５２の押圧板５３で送り出させる。
【００４５】
そして、受渡機構部５２の押圧板５３による３束目の小束紙幣Ｗの最も小束出金口５１側までの搬送を行ったタイミングで、制御部は、図２（ｂ）に示すようにシャッタ８０の回動軸８２を下限位置まで下降させる。すると、シャッタ本体８４の上端部が下降するとともに作動機構９４によってシャッタ本体８４の下端部が前方に移動する。このとき、図７（ａ）に示すように、シャッタ本体８４の中間板部８６と先端板部８７との境界縁部が、既に繰り出され案内面部９５に載置されていた２束目の小束紙幣Ｗの後面に当接し、これを前方に押し出す。すると、この２束目の小束紙幣Ｗは、コロ１０１に乗り上げて案内面部９５をさらに前方に円滑に移動するとともに、１束目の小束紙幣Ｗを前方に押し出す。すると、１束目の小束紙幣Ｗが傾斜案内面部９７に至り、その傾斜によって滑り落ち、受部９８に載置される。
【００４６】
このような作動を繰り返すことで、図７（ｂ）に示すように、最初の方に繰り出された複数の小束紙幣Ｗが受部９８に集積状態で載置され、後の方に繰り出された小束紙幣Ｗが傾斜案内面部９７および案内面部９５に載置されることになる。なお、繰り出す小束紙幣Ｗが少なければ、受部９８と案内面部９５とに小束紙幣Ｗが載置され、傾斜案内面部９７には小束紙幣Ｗが載置されない場合もある。また、さらに繰り出す小束紙幣Ｗが少なければ、案内面部９５に小束紙幣Ｗが載置され、傾斜案内面部９７および受部９８には小束紙幣Ｗが載置されない場合もある。
【００４７】
以上に述べた本実施形態の貨幣入出金機１１によれば、小束出金口５１から繰り出された小束紙幣Ｗを、シャッタ８０がその開作動に連動して前方に押し出すため、小束紙幣Ｗの小束出金口５１からの繰り出しの後に、再びシャッタ８０を開くことで、小束紙幣Ｗを前方に搬送することができる。このように、小束出金口５１を開閉させるシャッタ８０で小束紙幣Ｗを搬送できるため、簡素な構造で小束紙幣Ｗを搬送することができる。
【００４８】
また、シャッタ８０の開作動時に、シャッタ本体８４の上部の回動軸８２を下降させると、シャッタ本体８４に連結された作動アーム９２が、これに連動してシャッタ本体８４の下部を前方に移動させる。このシャッタ本体８４の下部の前方移動で、小束紙幣Ｗを前方に搬送することができる。このように、シャッタ本体８４と作動アーム９２という確実に簡素な構造で小束紙幣Ｗを搬送することができる。
【００４９】
さらに、シャッタ８０を開状態として、小束搬送部５０で小束紙幣Ｗを繰り出させると、小束紙幣Ｗがシャッタ８０の前下がりの傾斜面８６ａに載置されて、前方に滑り落ち搬送される。よって、さらに簡素な構造で小束紙幣Ｗを搬送することができる。
【００５０】
加えて、シャッタ８０の前方の案内面部９５にコロ１０１が設けられているため、シャッタ８０で小束紙幣Ｗを円滑に前方に押し出すことができる。したがって、小束紙幣Ｗがシャッタ８０の前で滞って後の小束紙幣Ｗを放出できない状態になることを防止できる。
【図面の簡単な説明】
【００５１】
【図１】本発明の一実施形態に係る貨幣入出金機を示す側断面図である。
【図２】本発明の一実施形態に係る貨幣入出金機のシャッタの動作説明図である。
【図３】本発明の一実施形態に係る貨幣入出金機の要部の動作説明図である。
【図４】本発明の一実施形態に係る貨幣入出金機の要部の動作説明図である。
【図５】本発明の一実施形態に係る貨幣入出金機の要部の動作説明図である。
【図６】本発明の一実施形態に係る貨幣入出金機の要部の動作説明図である。
【図７】本発明の一実施形態に係る貨幣入出金機の要部の動作説明図である。
【符号の説明】
【００５２】
１１  貨幣入出金機（小束紙幣処理機）
５０  小束搬送部
５１  小束出金口
８０  シャッタ
８２  回動軸
８４  シャッタ本体
８６ａ  傾斜面
９２  作動アーム
Ｗ  小束紙幣
【図１】
2006293907.tif 000003
【図２】
2006293907.tif 000004
【図３】
2006293907.tif 000005
【図４】
2006293907.tif 000006
【図５】
2006293907.tif 000007
【図６】
2006293907.tif 000008
【図７】
2006293907.tif 000009